(57)【要約】      （修正有）【課題】使用者が握りやすく、容易に接触スイッチである導電片に接触でき、電池を交換しやすいイオン導入美肌装置を提供する。【解決手段】装置本体１００の前面にイオン導入ヘッド２００を設置し、装置本体１００の周縁に沿って周回式導電片４００を配置し、装置本体１００の内部に座体１０を設け、座体１０の後面に凹溝１１、電池スロット１２、係合部１４及び嵌合孔１６を設ける。また、座体１０と装置本体１００の間に回路板が設置され、装置本体１００の後面を閉鎖可能なスライドカバー３００に、摺動に伴って座体の嵌合孔１６、係合部１４及び凹溝１１とそれぞれ係脱する嵌合片３１、ツメ３２及び弾性嵌合体５００が設けられ、弾性嵌合体５００の凹溝１１と係脱する前端部は、前後方向へ移動可能で前方へ付勢されている。【選択図】図２
0003174235.tif 000002
【実用新案登録請求の範囲】
【請求項１】
装置本体と、該装置本体の後面を閉鎖可能なスライドカバーとを備え、前記装置本体の前面にイオンを放出するイオン導入ヘッド及び電源スイッチが設置され、前記装置本体の内部に座体が設けられ、前記座体の後面に凹溝及び電池を収容する電池スロットが形成され、前記座体の後面両側に係合部がそれぞれ設けられ、前記座体の後面の末端両側に嵌合孔がそれぞれ形成され、前記座体と前記装置本体の間に回路板が設置され、前記装置本体の周縁に沿って、握ることにより前記イオン導入ヘッド、電池及び回路板を接続する導電経路を形成する周回式導電片が設けられ、前記スライドカバーに、前記座体の後面に沿って摺動させることにより前記座体の嵌合孔、係合部及び凹溝とそれぞれ係脱する嵌合片、ツメ及び弾性嵌合体が設けられ、前記弾性嵌合体の凹溝と係脱する前端部は、前後方向へ移動可能で前方へ付勢され、前記嵌合片及びツメを前記嵌合孔及び係合部にそれぞれ係合することにより、前記スライドカバーが前記装置本体に取り付けられることを特徴とする、イオン導入美肌装置。
【請求項２】
前記弾性嵌合体は、前端面が開口した筒状のベース座部と、該ベース座部内に組み込まれたバネ及び柱体とを有し、前記ベース座部の両側から張り出した部分に穿通孔が設けられ、前記穿通孔に挿通されたネジを前記スライドカバー内面に設けられた１組の螺合柱に螺入して前記ベース座部が前記スライドカバーに取り付けられ、前記ベース座部の側面にスライド溝が形成され、前記柱体の側面に設けた凸柱部を前記スライド溝に嵌入することにより、前記柱体が前記ベース座部内に前後方向へ移動可能に保持されると共に、前方に付勢され、前記柱体の前端に前記座体の凹溝に嵌入可能な凸部が設けられていることを特徴とする、請求項１に記載のイオン導入美肌装置。
【考案の詳細な説明】
【技術分野】
【０００１】
本考案は、装置本体の内部に収納した電池により電源を提供し、装置本体の後面にスライドカバーを使用して、電池の交換を容易にした、イオン導入美肌装置に関する。
【背景技術】
【０００２】
美容製品の発展に伴い、新しい配合の美容液が絶え間なく生まれ続けており、美容液の吸収を高めるため、現在業界では２種類の形式の導入方法が開発されている。
一つは超音波導入であり、これは超音波振動を利用して、美容液を真皮に導入する。もう一つはイオン導入であって、プラスイオンとマイナスイオンの交換作用により、スキンケア製品を皮膚に導入する。
しかしながら、従来のイオン導入・導出装置は価格が高い。また、個人で携帯して使用するのに適したハンドへルド型イオン導入・導出装置は、後面カバーの多くが螺子で固定されており、電池を交換しにくいという問題がある。さらに、接触スイッチである電極片が装置本体の隅に設置されており、使用者が装置本体を手に握ったとき接触不良を生じやすいという問題もある。
【考案の概要】
【考案が解決しようとする課題】
【０００３】
本考案が解決しようとする課題は、使用者が握りやすく、容易に接触スイッチである導電片に接触でき、電池を交換しやすいイオン導入美肌装置を提供することにある。
【課題を解決するための手段】
【０００４】
本考案のイオン導入美肌装置は、装置本体と、該装置本体の後面を閉鎖可能なスライドカバーとを備え、前記装置本体の前面にイオンを放出するイオン導入ヘッド及び電源スイッチが設置され、前記装置本体の内部に座体が設けられ、前記座体の後面に凹溝及び電池を収容する電池スロットが形成され、前記座体の後面両側に係合部がそれぞれ設けられ、前記座体の後面の末端両側に嵌合孔がそれぞれ形成され、前記座体と前記装置本体の間に回路板が設置され、前記装置本体の周縁に沿って、握ることにより前記イオン導入ヘッド、電池及び回路板を接続する導電経路を形成する周回式導電片が設けられ、前記スライドカバーに、前記座体の後面に沿って摺動させることにより前記座体の嵌合孔、係合部及び凹溝とそれぞれ係脱する嵌合片、ツメ及び弾性嵌合体が設けられ、前記弾性嵌合体の凹溝と係脱する前端部は、前後方向へ移動可能で前方へ付勢され、前記嵌合片及びツメを前記嵌合孔及び係合部にそれぞれ係合することにより、前記スライドカバーが前記装置本体に取り付けられる。
【０００５】
前記弾性嵌合体は、前端面が開口した筒状のベース座部と、該ベース座部内に組み込まれたバネ及び柱体とを有し、前記ベース座部の両側から張り出した部分に穿通孔が設けられ、前記穿通孔に挿通されたネジを前記スライドカバー内面に設けられた１組の螺合柱に螺入して前記ベース座部が前記スライドカバーに取り付けられ、前記ベース座部の側面にスライド溝が形成され、前記柱体の側面に設けた凸柱部を前記スライド溝に嵌入することにより、前記柱体が前記ベース座部内に前後方向へ移動能に保持されると共に、前方に付勢され、前記柱体の前端に前記座体の凹溝へ嵌入可能な凸部が設けられることがある。
【考案の効果】
【０００６】
本考案によれば、スライドカバーをスライドさせるだけで簡単に開閉できるので、容易に電池を交換することができる。
また、装置本体の周縁に沿って周回式導電片を設けてあるため、装置本体を握ることにより、同時に導電片に接触して導電経路を形成することができ、接触不良を起こす心配が無い。
【図面の簡単な説明】
【０００７】
【図１】本考案の実施例を示すイオン導入美肌装置の斜視図である。
【図２】本考案の実施例を示すイオン導入美肌装置の分解斜視図である。
【図３】本考案の実施例を示すイオン導入美肌装置の後面から見た斜視図である。
【図４】本考案の実施例を示すイオン導入美肌装置の側面図である。
【考案を実施するための形態】
【０００８】
以下、本考案の実施例を図面に基づいて詳細に説明する。
本考案のイオン導入美肌装置は、図１に示すように、装置本体１００と、装置本体１００の後面を閉鎖可能なスライドカバー３００とを備える。
装置本体１００の前面一端部にはイオンを放出するイオン導入ヘッド２００が設置され、装置本体１００の周縁に沿って接触スイッチである周回式導電片４００が設置される。また、装置本体１００の前面パネル上には、電源のオン・オフを切り替える電源スイッチ１０１と、イオン導入強度を選択できる機能スイッチ１０２が設けられる。
【０００９】
図２に示すように、装置本体１００の内部には座体１０が設置され、座体１０の後面に半円柱形の凹溝１１、及び、電池１３を収容する電池スロット１２が設けられる。電池１３は、乾電池またはマンガン電池であり、イオン導入ヘッド２００に電力を供給する。
また、電池スロット１２の両側に逆Ｌ字形の係合部１４及び位置規制突起１５がそれぞれ設けられ、座体１０の末端両側に嵌合孔１６が形成される。係合部１４は座体１０から立ち上がる逆Ｌ字状の部材であり、係合部１４の先端と対向して位置規制突起１５が設けられる。
さらに、電池１３とイオン導入ヘッド２００との間に介在される回路板(図示しない)が、座体１０と装置本体１００の間に設置される。
【００１０】
スライドカバー３００には、嵌合孔１６に対応する位置に嵌合片３１が設けられ、係合部１４に対応する位置にツメ３２が設けられ、凹溝１１に対応する位置に弾性嵌合体５００が設置される。
そして、ツメ３２を係合部１４と位置規制突起１５との間に差し込んでから、スライドカバー３００を座体１０の後面に沿って装置本体１００の一端側にスライドさせると、ツメ３２が係合部１４と係合し、嵌合片３１が嵌合孔１６に嵌合して、スライドカバー３００が装置本体１００に取り付けられ、装置本体１００の後面が閉鎖される。この時、弾性嵌合体５００は凹溝１１に嵌合している。
【００１１】
弾性嵌合体５００は、前面側が開口した筒状のベース座部５１と、ベース座部５１内に組み込まれたバネ５７及び柱体５６とを有する。
ベース座部５１の両側から張り出した部分に穿通孔５２が形成され、穿通孔５２に挿通したネジ５３をスライドカバー３００の内側に設けられた１組の螺合柱５４に螺入することにより、ベース座部５１がスライドカバー３００に取り付けられる。
また、ベース座部５１の側面には前後方向に沿ってスライド溝５５が形成され、バネ５７及び柱体５６を順次ベース座部５１内に組み込み、柱体５６の側面に突出した凸柱部５８をスライド溝５５内に嵌入させることで、柱体５６がベース座部５１内に前後方向へ移動可能に保持されると共に、前方（ベース座部５１から突出する方向）に付勢される。柱体５６の前端には半円柱形の凹溝１１に嵌入可能な半円柱形の凸部５９が設けられ、凸部５９も柱体５６と共に前後方向へ移動するようになっている。
【００１２】
従って、スライドカバー３００を座体１０の後面に沿って図３の矢印方向（装置本体１００の末端方向）にスライドさせて、ツメ３２及び嵌合片３１を座体１０の係合部１４及び嵌合孔１６から離脱させると、スライドカバー３００を装置本体１００へ引き寄せる力が無くなるので、柱体５６がバネ５７の付勢力によってベース座部５１から突出し、柱体５６の前端に設けた凸部５９が座体１０の後面を押す力によって、スライドカバー３００が装置本体１００から遠ざかって装置本体１００の後面が開放される。
また、スライドカバー３００を座体１０の後面に被せ、嵌合片３１を嵌合孔１６の入り口に臨んで配置させると共に、ツメ３２を係合部１４と位置規制突起１５との間に配置させてから、スライドカバー３００を装置本体１００の後面に押しつけながら逆方向へスライドさせるだけで、簡単に装置本体１００の後面を閉鎖することができる。
【００１３】
本考案のイオン導入美肌装置の使用する時は、手で装置本体１００を握ると同時に導電片４００を握ることができ、これにより、イオン導入ヘッド２００、電池１３及び回路板を接続する導電経路が形成される。
皮膚の表層に美容液を塗った後、この状態でイオン導入ヘッド２００を皮膚に接触させ、電源スイッチ１０１を押して電源をオンにし、機能スイッチ１０２で適切な導入強度を選択すると、イオン導入ヘッド２００から放出されるイオンを皮膚に導入することができる。
スライドカバー３００を開くときは、図３に示すように、矢印の方向に向かって押すだけで取り外すことができ、反対方向に押すと取り付けることができるため、非常に便利に操作することができる。
【００１４】
図４に示すように、本考案のイオン導入美肌装置は、全体の外観が流線型で美感に優れ、スライドカバー３００の断面弧状に湾曲しているため握りやすいだけでなく、操作もしやすい。
また、電池１３は乾電池またはマンガン電池を使用しており、３つの１．５Ｖの乾電池を組み込むことで、全体に一定の重量が生まれ、使用者が使用時に握ったとき良好な感覚が得られ、操作・使用に便利である。
【符号の説明】
【００１５】
１００    装置本体
２００    イオン導入ヘッド
３００    スライドカバー
４００    周回式導電片
１０１    電源スイッチ
１０２    機能スイッチ
１０      座体
１１      凹溝
１２      電池スロット
１３      電池
１４      係合部
１５      位置規制突起
１６      嵌合孔
３１      嵌合片
３２      ツメ
５００    弾性嵌合体
５１      ベース座部
５２      穿通孔
５３      ネジ 
５４      螺合柱
５５      スライド溝
５６      柱体
５７      バネ 
５８      凸柱部
５９      凸部
【図１】
0003174235.tif 000003
【図２】
0003174235.tif 000004
【図３】
0003174235.tif 000005
【図４】
0003174235.tif 000006